【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
ターゲットユーザ機器についての周期的およびトリガ所在特定を行う第１のネットワークエンティティにおける方法であって、
前記ターゲットユーザ機器についての周期的およびトリガ所在特定要求を第２のネットワークエンティティから受信することと、
前記周期的およびトリガ所在特定要求が受信され承認されたことを示す第１の応答を前記第２のネットワークエンティティへ送信することと、
前記ターゲットユーザ機器が現在連絡可能な状態にない場合に、前記ターゲットユーザ機器がワイヤレスネットワークと連絡可能な状態になるのを待つことと、
前記ターゲットユーザ機器とのシグナリング接続を確立することと、
前記ターゲットユーザ機器へ前記周期的およびトリガ所在特定要求を送信することと、ここにおいて、前記周期的およびトリガ所在特定要求は、所在特定報告イベントのタイプ、最大報告間隔、並びに前記所在特定報告イベントが生じたかどうかを前記ユーザ機器がモニタするために必要とされる最大イベントサンプリング間隔を備える、
前記周期的およびトリガ所在特定要求が承認されたことを示す確認を前記ターゲットユーザ機器から受信することと、
前記周期的およびトリガ所在特定要求が前記ターゲットユーザ機器においてアクティブ化されたことを示す第２の応答を前記第２のネットワークエンティティへ送信することと、
前記所在特定報告イベントが生じても生じなくても前記最大報告間隔中に前記ターゲットユーザ機器から所在特定報告を受信することと
を備える、方法。
【請求項２】
前記シグナリング接続は、ナローバンドモノのインターネット（ＮＢ−ＩｏＴ）無線アクセスタイプ（ＲＡＴ）、ロングタームエボリューション（ＬＴＥ）ＲＡＴ、または新無線（ＮＲ）ＲＡＴを使用して確立される、あるいは
前記第１のネットワークエンティティは、モビリティ管理エンティティ（ＭＭＥ）、アクセスおよびモビリティ管理機能（ＡＭＦ）、または所在管理機能（ＬＭＦ）である、あるいは
前記第２のネットワークエンティティは、ゲートウェイモバイル所在特定センター（ＧＭＬＣ）である、
請求項１に記載の方法。
【請求項３】
所在特定報告イベントの前記タイプは、エリアに入ること、エリアから去ること、エリア内にいること、周期的報告または動きイベント報告のうちの少なくとも１つを備える、請求項１に記載の方法。
【請求項４】
前記方法は、
前記第２のネットワークエンティティへ前記所在特定報告を送信することと
をさらに備える、請求項１に記載の方法。
【請求項５】
前記第１の応答は、前記ターゲットユーザ機器が次に連絡可能になるまでの予期される時間間隔または最大時間間隔のインジケーション、または前記ターゲットユーザ機器についての最後の既知の所在地を備える、請求項１に記載の方法。
【請求項６】
ターゲットユーザ機器についての周期的およびトリガ所在特定を行うための第１のネットワークエンティティであって、
第２のネットワークエンティティおよび前記ターゲットユーザ機器と通信するように構成された外部インターフェースと、
前記ターゲットユーザ機器に対する前記第２のネットワークエンティティから周期的およびトリガ所在特定要求を前記外部インターフェースで受信することと、前記周期的およびトリガ所在特定要求が受信され承認されたことを示す第１の応答を前記第２のネットワークエンティティへ前記外部インターフェースで送信することと、
前記ターゲットユーザ機器が現在連絡可能な状態にない場合に、前記ターゲットユーザ機器がワイヤレスネットワークと連絡可能な状態になるのを待つことと、
前記ターゲットユーザ機器とのシグナリング接続を前記外部インターフェースを通じて確立することと、
前記ターゲットユーザ機器へ前記周期的およびトリガ所在特定要求を前記外部インターフェースで送信することと、ここにおいて、前記周期的およびトリガ所在特定要求は、所在特定報告イベントのタイプ、最大報告間隔、並びに前記所在特定報告イベントが生じたかどうかを前記ユーザ機器がモニタするために必要とされる最大イベントサンプリング間隔を備える、
前記周期的およびトリガ所在特定要求が受信されたという確認応答を前記ターゲットユーザ機器から前記外部インターフェースで受信することと、
前記周期的およびトリガ所在特定要求が前記ターゲットユーザ機器においてアクティブ化されたことを示す第２の応答を前記第２のネットワークエンティティへ送信することと、
前記所在特定報告イベントが生じても生じなくても前記最大報告間隔中に前記ターゲットユーザ機器から所在特定報告を受信することと
をするように構成された少なくとも１つのプロセッサと
を備える、第１のネットワークエンティティ。
【請求項７】
前記シグナリング接続は、ナローバンドモノのインターネット（ＮＢ−ＩｏＴ）無線アクセスタイプ（ＲＡＴ）、ロングタームエボリューション（ＬＴＥ）ＲＡＴ、または新無線（ＮＲ）ＲＡＴを使用して確立される、あるいは
前記第１のネットワークエンティティは、モビリティ管理エンティティ（ＭＭＥ）、アクセスおよびモビリティ管理機能（ＡＭＦ）、または所在管理機能（ＬＭＦ）である、あるいは
前記第２のネットワークエンティティは、ゲートウェイモバイル所在特定センター（ＧＭＬＣ）である、
請求項６に記載の第１のネットワークエンティティ。
【請求項８】
所在特定報告イベントの前記タイプは、エリアに入ること、エリアから去ること、エリア内にいること、周期的報告または動きイベント報告のうちの少なくとも１つを備える、請求項６に記載の第１のネットワークエンティティ。
【請求項９】
前記少なくとも１つのプロセッサは、前記第２のネットワークエンティティへ前記所在特定報告を前記外部インターフェースで送信することを行うようにさらに構成される、請求項６に記載の第１のネットワークエンティティ。
【請求項１０】
前記第１の応答は、前記ターゲットユーザ機器が次に連絡可能になるまでの予期される時間間隔または最大時間間隔のインジケーション、あるいは前記ターゲットユーザ機器についての最後の既知の所在地を備える、請求項６に記載の第１のネットワークエンティティ。
【請求項１１】
周期的およびトリガ所在特定を行うためのユーザ機器における方法であって、
第１のネットワークエンティティから周期的およびトリガ所在特定要求を受信することと、ここにおいて、前記周期的およびトリガ所在特定要求は、所在特定報告イベントのタイプ、最大報告間隔、並びに前記所在特定報告イベントが生じたかどうかを前記ユーザ機器がモニタするために必要とされる最大イベントサンプリング間隔を備える、
前記周期的およびトリガ所在特定要求が承認されたことを示す応答を前記第１のネットワークエンティティへ返すことと、
前記所在特定報告イベントが生じたかどうかを決定するために前記所在特定報告イベントをモニタすることと、
前記所在特定報告イベントが生じても生じなくても、前記最大報告間隔中に、第２のネットワークエンティティへ所在特定報告を送信することと
を備える、方法。
【請求項１２】
前記周期的およびトリガ所在特定要求は、受信され、および前記所在特定報告は、ナローバンドモノのインターネット（ＮＢ−ＩｏＴ）無線アクセスタイプ（ＲＡＴ）、ロングタームエボリューション（ＬＴＥ）ＲＡＴ、または新無線（ＮＲ）ＲＡＴを使用して送信される、あるいは
前記第１のネットワークエンティティおよび前記第２のネットワークエンティティは、各々モビリティ管理エンティティ（ＭＭＥ）、アクセスおよびモビリティ管理機能（ＡＭＦ）、または所在管理機能（ＬＭＦ）である、
請求項１１に記載の方法。
【請求項１３】
前記周期的およびトリガ所在特定要求は、最大イベントサンプリング間隔をさらに備え、前記所在特定報告イベントが生じたかどうかを決定するために前記所在特定報告イベントを前記モニタすることは、前記最大イベントサンプリング間隔以下の間隔で前記所在特定報告イベントをモニタすることを備える、請求項１１に記載の方法。
【請求項１４】
周期的およびトリガ所在特定を行うためのユーザ機器であって、
第１のネットワークエンティティとワイヤレスに通信するように構成されたワイヤレストランシーバと、
前記第１のネットワークエンティティから周期的およびトリガ所在特定要求を前記ワイヤレストランシーバで受信することと、ここにおいて、前記周期的およびトリガ所在特定要求は、所在特定報告イベントのタイプ、最大報告間隔、並びに前記所在特定報告イベントが生じたかどうかを前記ユーザ機器がモニタするために必要とされる最大イベントサンプリング間隔を備える、
前記周期的およびトリガ所在特定要求が承認されたことを示す応答を前記第１のネットワークエンティティへ前記ワイヤレストランシーバで返すことと、
前記所在特定報告イベントが生じたかどうかを決定するために所在特定報告イベントをモニタすることと、
前記所在特定報告イベントが生じても生じなくても、前記最大報告間隔中に第２のネットワークエンティティへ所在特定報告を前記ワイヤレストランシーバで送信することとをするように構成された少なくとも１つのプロセッサと
を備える、ユーザ機器。
【請求項１５】
前記周期的およびトリガ所在特定要求は、最大イベントサンプリング間隔をさらに備え、前記少なくとも１つのプロセッサは、前記最大イベントサンプリング間隔以下の間隔で前記所在特定報告イベントをモニタするように構成されることによって、前記所在特定報告イベントが生じたかどうかを決定するために前記所在特定報告イベントをモニタするようにさらに構成される、請求項１４に記載のユーザ機器。
【手続補正２】
【補正対象書類名】明細書
【補正対象項目名】０１５１
【補正方法】変更
【補正の内容】
【０１５１】
[00158]  従って、特許請求される主題は、開示される特定の例に限定されないが、そのような特許請求される主題はまた、添付された特許請求の範囲内に含まれる全ての態様およびそれらの均等物を含み得ることが意図される。
以下に本願発明の当初の特許請求の範囲に記載された発明を付記する。
[Ｃ１]  ターゲットユーザ機器についての周期的およびトリガ所在特定を行う第１のネットワークエンティティにおける方法であって、
前記ターゲットユーザ機器についての周期的およびトリガ所在特定要求を第２のネットワークエンティティから受信することと、
前記周期的およびトリガ所在特定要求が受信され承認されたことを示す第１の応答を前記第２のネットワークエンティティへ送信することと、
前記ターゲットユーザ機器が現在連絡可能な状態にない場合に、前記ターゲットユーザ機器がワイヤレスネットワークと連絡可能な状態になるのを待つことと、
前記ターゲットユーザ機器とのシグナリング接続を確立することと、
前記ターゲットユーザ機器へ前記周期的およびトリガ所在特定要求を送信することと、
前記周期的およびトリガ所在特定要求が承認されたことを示す確認を前記ターゲットユーザ機器から受信することと、
前記周期的およびトリガ所在特定要求が前記ターゲットユーザ機器においてアクティブ化されたことを示す第２の応答を前記第２のネットワークエンティティへ送信することと
を備える、方法。
[Ｃ２]  前記シグナリング接続は、ナローバンドモノのインターネット（ＮＢ−ＩｏＴ）無線アクセスタイプ（ＲＡＴ）、ロングタームエボリューション（ＬＴＥ）ＲＡＴ、または新無線（ＮＲ）ＲＡＴを使用して確立される、Ｃ１に記載の方法。
[Ｃ３]  前記第１のネットワークエンティティは、モビリティ管理エンティティ（ＭＭＥ）、アクセスおよびモビリティ管理機能（ＡＭＦ）、または所在管理機能（ＬＭＦ）である、Ｃ１に記載の方法。
[Ｃ４]  前記第２のネットワークエンティティは、ゲートウェイモバイル所在特定センター（ＧＭＬＣ）である、Ｃ３に記載の方法。
[Ｃ５]  前記ターゲットユーザ機器へ送信される前記周期的およびトリガ所在特定要求は、所在特定報告イベントのタイプと、最大報告間隔、最小報告間隔、および最大イベントサンプリング間隔のうちの少なくとも１つとを備える、Ｃ１に記載の方法。
[Ｃ６]  所在特定報告イベントの前記タイプは、エリアに入ること、エリアから去ること、エリア内にいること、周期的報告または動きイベント報告のうちの少なくとも１つを備える、Ｃ５に記載の方法。
[Ｃ７]  前記ターゲットユーザ機器へ送信される前記周期的およびトリガ所在特定要求は、前記最大報告間隔を備え、
所在特定報告イベントが前記最大報告間隔中に前記ターゲットユーザ機器によって検出されないときに、前記ターゲットユーザ機器から所在特定報告を受信することと、
前記第２のネットワークエンティティへ前記所在特定報告を送信することと
をさらに備える、Ｃ５に記載の方法。
[Ｃ８]  前記第１の応答は、前記ターゲットユーザ機器が次に連絡可能になるまでの予期される時間間隔または最大時間間隔のインジケーションを備える、Ｃ１に記載の方法。
[Ｃ９]  前記第１の応答は、前記ターゲットユーザ機器についての最後の既知の所在地を備える、Ｃ１に記載の方法。
[Ｃ１０]  ターゲットユーザ機器についての周期的およびトリガ所在特定を行うための第１のネットワークエンティティであって、
第２のネットワークエンティティおよび前記ターゲットユーザ機器と通信するように構成された外部インターフェースと、
前記ターゲットユーザ機器に対する前記第２のネットワークエンティティから周期的およびトリガ所在特定要求を前記外部インターフェースで受信することと、前記周期的およびトリガ所在特定要求が受信され承認されたことを示す第１の応答を前記第２のネットワークエンティティへ前記外部インターフェースで送信することと、前記ターゲットユーザ機器が現在連絡可能な状態にない場合に、前記ターゲットユーザ機器がワイヤレスネットワークと連絡可能な状態になるのを待つことと、前記ターゲットユーザ機器とのシグナリング接続を前記外部インターフェースを通じて確立することと、前記ターゲットユーザ機器へ前記周期的およびトリガ所在特定要求を前記外部インターフェースで送信することと、前記周期的およびトリガ所在特定要求が受信されたという確認応答を前記ターゲットユーザ機器から前記外部インターフェースで受信することと、前記周期的およびトリガ所在特定要求が前記ターゲットユーザ機器においてアクティブ化されたことを示す第２の応答を前記第２のネットワークエンティティへ送信することとをするように構成された少なくとも１つのプロセッサと
を備える、第１のネットワークエンティティ。
[Ｃ１１]  前記シグナリング接続は、ナローバンドモノのインターネット（ＮＢ−ＩｏＴ）無線アクセスタイプ（ＲＡＴ）、ロングタームエボリューション（ＬＴＥ）ＲＡＴ、または新無線（ＮＲ）ＲＡＴを使用して確立される、Ｃ１０に記載の第１のネットワークエンティティ。
[Ｃ１２]  前記第１のネットワークエンティティは、モビリティ管理エンティティ（ＭＭＥ）、アクセスおよびモビリティ管理機能（ＡＭＦ）、または所在管理機能（ＬＭＦ）である、Ｃ１０に記載の第１のネットワークエンティティ。
[Ｃ１３]  前記ターゲットユーザ機器へ送信される前記周期的およびトリガ所在特定要求は、所在特定報告イベントのタイプと、最大報告間隔、最小報告間隔、および最大イベントサンプリング間隔のうちの少なくとも１つとを備え、所在特定報告イベントの前記タイプは、エリアに入ること、エリアから去ること、エリア内にいること、周期的報告または動きイベント報告のうちの少なくとも１つを備える、Ｃ１０に記載の第１のネットワークエンティティ。
[Ｃ１４]  前記ターゲットユーザ機器へ送信される前記周期的およびトリガ所在特定要求は、前記最大報告間隔を備え、前記少なくとも１つのプロセッサは、
所在特定報告イベントが前記最大報告間隔中に前記ターゲットユーザ機器によって検出されないときに、前記ターゲットユーザ機器から所在特定報告を受信することと、
前記第２のネットワークエンティティへ前記所在特定報告を前記外部インターフェースで送信することと
を行うようにさらに構成される、Ｃ１３に記載の第１のネットワークエンティティ。
[Ｃ１５]  前記第１の応答は、前記ターゲットユーザ機器が次に連絡可能になるまでの予期される時間間隔または最大時間間隔のインジケーション、あるいは前記ターゲットユーザ機器についての最後の既知の所在地を備える、Ｃ１０に記載の第１のネットワークエンティティ。
[Ｃ１６]  周期的およびトリガ所在特定を行うためのユーザ機器における方法であって、
第１のネットワークエンティティから周期的およびトリガ所在特定要求を受信することであって、前記周期的およびトリガ所在特定要求は、所在特定報告イベントのタイプと、最大報告間隔、最小報告間隔、および最大イベントサンプリング間隔のうちの少なくとも１つとを備える、受信することと、
前記周期的およびトリガ所在特定要求が承認されたことを示す応答を前記第１のネットワークエンティティへ返すことと、
前記所在特定報告イベントが生じたかどうかを決定するために前記所在特定報告イベントをモニタすることと、
前記所在特定報告イベントが生じたときに、または所在特定報告イベントが前記最大報告間隔中に生じないときに、第２のネットワークエンティティへ所在特定報告を送信することと
を備える、方法。
[Ｃ１７]  前記周期的およびトリガ所在特定要求は、受信され、および前記所在特定報告は、ナローバンドモノのインターネット（ＮＢ−ＩｏＴ）無線アクセスタイプ（ＲＡＴ）、ロングタームエボリューション（ＬＴＥ）ＲＡＴ、または新無線（ＮＲ）ＲＡＴを使用して送信される、Ｃ１６に記載の方法。
[Ｃ１８]  前記第１のネットワークエンティティおよび前記第２のネットワークエンティティは各々、モビリティ管理エンティティ（ＭＭＥ）、アクセスおよびモビリティ管理機能（ＡＭＦ）、または所在管理機能（ＬＭＦ）である、Ｃ１６に記載の方法。
[Ｃ１９]  前記第１のネットワークエンティティは、前記第２のネットワークエンティティと同じである、Ｃ１８に記載の方法。
[Ｃ２０]  前記第１のネットワークエンティティは、前記第２のネットワークエンティティとは異なる、Ｃ１８に記載の方法。
[Ｃ２１]  前記第１のネットワークエンティティおよび前記第２のネットワークエンティティは、異なるネットワークに属する、Ｃ２０に記載の方法。
[Ｃ２２]  所在特定報告イベントの前記タイプは、エリアに入ること、エリアから去ること、エリア内にいること、周期的報告または動きイベント報告のうちの少なくとも１つを備える、Ｃ１６に記載の方法。
[Ｃ２３]  前記所在特定報告イベントが生じたときに、前記第２のネットワークエンティティへ前記所在特定報告を送信することは、以前の所在特定報告の送信からの前記最小報告間隔に少なくとも等しい間隔に続いて前記所在特定報告イベントが生じたときに、前記第２のネットワークエンティティへ前記所在特定報告を送信することを備える、Ｃ１６に記載の方法。
[Ｃ２４]  前記所在特定報告イベントが生じたかどうかを決定するために前記所在特定報告イベントを前記モニタすることは、前記最大イベントサンプリング間隔以下の間隔で前記所在特定報告イベントをモニタすることを備える、Ｃ１６に記載の方法。
[Ｃ２５]  周期的およびトリガ所在特定を行うためのユーザ機器であって、
第１のネットワークエンティティとワイヤレスに通信するように構成されたワイヤレストランシーバと、
前記第１のネットワークエンティティから周期的およびトリガ所在特定要求を前記ワイヤレストランシーバで受信することであって、前記周期的およびトリガ所在特定要求は、所在特定報告イベントのタイプと、最大報告間隔、最小報告間隔、および最大イベントサンプリング間隔のうちの少なくとも１つとを備える、受信することと、前記周期的およびトリガ所在特定要求が承認されたことを示す応答を前記第１のネットワークエンティティへ前記ワイヤレストランシーバで返すことと、前記所在特定報告イベントが生じたかどうかを決定するために所在特定報告イベントをモニタすることと、前記所在特定報告イベントが生じたときに、または所在特定報告イベントが前記最大報告間隔中に生じないときに、第２のネットワークエンティティへ所在特定報告を前記ワイヤレストランシーバで送信することとをするように構成された少なくとも１つのプロセッサと
を備える、ユーザ機器。
[Ｃ２６]  前記周期的およびトリガ所在特定要求は、受信され、および前記所在特定報告は、ナローバンドモノのインターネット（ＮＢ−ＩｏＴ）無線アクセスタイプ（ＲＡＴ）、ロングタームエボリューション（ＬＴＥ）ＲＡＴ、または新無線（ＮＲ）ＲＡＴを使用して送信される、Ｃ２５に記載のユーザ機器。
[Ｃ２７]  前記第１のネットワークエンティティおよび前記第２のネットワークエンティティは各々、モビリティ管理エンティティ（ＭＭＥ）、アクセスおよびモビリティ管理機能（ＡＭＦ）、または所在管理機能（ＬＭＦ）である、Ｃ２５に記載のユーザ機器。
[Ｃ２８]  所在特定報告イベントの前記タイプは、エリアに入ること、エリアから去ること、エリア内にいること、周期的報告または動きイベント報告のうちの少なくとも１つを備える、Ｃ２５に記載のユーザ機器。
[Ｃ２９]  前記少なくとも１つのプロセッサは、以前の所在特定報告の送信からの前記最小報告間隔に少なくとも等しい間隔に続いて前記所在特定報告イベントが生じたときに、前記第２のネットワークエンティティへ前記所在特定報告を送信するように構成されることによって、前記所在特定報告イベントが生じたときに、前記第２のネットワークエンティティへ前記所在特定報告を前記ワイヤレストランシーバで送信するようにさらに構成される、Ｃ２５に記載のユーザ機器。
[Ｃ３０]  前記少なくとも１つのプロセッサは、前記最大イベントサンプリング間隔以下の間隔で前記所在特定報告イベントをモニタするように構成されることによって、前記所在特定報告イベントが生じたかどうかを決定するために前記所在特定報告イベントをモニタするようにさらに構成される、Ｃ２５に記載のユーザ機器。